【手続補正書】
【提出日】平成20年2月15日(2008.2.15)
【手続補正１】
【補正対象書類名】特許請求の範囲
【補正対象項目名】全文
【補正方法】変更
【補正の内容】
【特許請求の範囲】
【請求項１】
文書データを識別する識別情報、前記文書データの一部又は全部の更新状況を示す更新履歴情報、及び前記更新履歴情報に含まれる更新内容情報を保持する文書データを取り扱い可能な複数の情報処理装置と少なくとも一つの印刷デバイスとがネットワークで接続された印刷システムであって、
前記情報処理装置は、
前記情報処理装置において印刷対象として選択された第１の文書データに対応する第２の文書データに関わる更新履歴情報を第２の更新履歴情報として前記印刷デバイスから取得する情報取得手段と、
前記第１の文書データの更新履歴情報である第１の更新履歴情報と、前記情報取得手段が取得した前記第２の更新履歴情報とから、前記第１のデータと第２のデータのいずれが有効なデータであるかを特定する特定手段と、
前記特定手段の特定結果に応じて前記第１の更新履歴情報を前記印刷デバイスへ送信する処理、又は、前記第１の更新履歴情報と前記第２の更新履歴情報の差分に応じた更新内容情報を差分データとして前記印刷デバイスへ送信する処理のいずれかを行うことで、前記印刷デバイスへ前記印刷対象となる前記第１の文書データの印刷依頼を行う印刷依頼手段と
を具備することを特徴とする印刷システム。
【請求項２】
前記情報処理装置は、前記情報処理装置において選択された前記第１の文書データの識別情報を抽出して前記印刷デバイスに送信する送信手段を更に具備し、
前記情報取得手段は、前記送信手段が送信した識別情報に対応する、前記印刷デバイス内の前記第２の文書データに関わる前記第２の更新履歴情報を、前記印刷デバイスから取得することを特徴とする請求項１に記載の印刷システム。
【請求項３】
前記印刷依頼手段は、前記特定手段の特定結果が前記第１の文書データと前記第２の文書データとが同じ更新履歴であると判定するもの又は前記第１の文書データの方が前記第２の文書データよりも新しいと判定するものであった場合に、前記第１の更新履歴情報を前記印刷デバイスへ送信する処理を行い、前記特定手段の特定結果が前記第１の文書データよりも前記第２の文書データの方が古いと判定するものであった場合に、前記差分データを前記印刷デバイスへ送信する処理を行うことを特徴とする請求項１又は２に記載の印刷システム。
【請求項４】
前記情報処理装置は、前記特定手段の特定結果が前記第１の文書データの方が前記第２の文書データよりも新しいと判定するものであった場合に、前記第１の文書データを印刷するか、前記第２の文書データを印刷するかをユーザが選択可能な第１の選択手段を含む選択画面を表示する画面表示手段を更に具備し、
前記印刷依頼手段は、前記画面表示手段が表示した前記選択画面におけるユーザの選択に応じて前記第１の更新履歴情報又は前記第２の更新履歴情報を前記印刷デバイスへ送信する処理を行うことを特徴とする請求項１又は２に記載の印刷システム。
【請求項５】
前記画面表示手段は、前記第１の選択手段においてユーザが前記第２の文書データを印刷することを選択した場合に、前記第１の文書データが保持する更新内容情報に前記第２の文書データが保持する更新内容情報を反映させるか否かの選択を前記ユーザに促す第２の選択手段を更に含む前記選択画面を表示し、
前記第２の選択手段において前記第１の文書データが保持する更新内容情報に前記第２の文書データが保持する更新内容情報を反映させることをユーザが選択した場合に、前記第１の文書データの保持する更新内容情報に前記第２の文書データの保持する更新内容情報を反映する反映手段を更に具備することを特徴とする請求項４に記載の印刷システム。
【請求項６】
前記印刷デバイスは、
前記文書データを格納する格納手段と、
前記ネットワークを介して前記情報処理装置から前記第１の文書データの識別情報を受信する受信手段と、
前記格納手段から前記受信手段が受信した前記第１の文書データの識別情報と同じ識別情報を保持する文書データを第２の文書データとして検索する検索手段と、
前記検索手段が検索した前記第２の文書データが保持する更新履歴情報を第２の更新履歴情報として前記情報処理装置へ送信する送信手段と
を具備することを特徴とする請求項１乃至５のいずれか１項に記載の印刷システム。
【請求項７】
前記印刷デバイスは、前記ネットワークを介して前記情報処理装置から前記第１の更新履歴情報を前記印刷依頼として受信した場合には、前記第２の文書データを前記第１の更新履歴情報に応じた更新状態で印刷処理し、前記ネットワークを介して前記情報処理装置から前記差分データを印刷依頼として受信した場合には、前記差分データと第２の印刷データを統合して印刷処理する印刷手段を具備することを特徴とする請求項１乃至６のいずれか１項に記載の印刷システム。
【請求項８】
前記印刷手段は、前記ネットワークを介して前記情報処理装置から前記第２の更新履歴情報を受信した場合には、前記第２の文書データを印刷処理することを特徴とする請求項７に記載の印刷システム。
【請求項９】
少なくとも一つの印刷デバイスとネットワークを介して接続され、文書データを識別する識別情報、前記文書データの一部又は全部の更新状況を示す更新履歴情報、及び前記更新履歴情報に含まれる更新内容情報を保持する文書データを取り扱い可能な情報処理装置であって、
印刷対象として選択された第１の文書データに対応する第２の文書データに関わる更新履歴情報を第２の更新履歴情報として前記印刷デバイスから取得する情報取得手段と、
前記第１の文書データの更新履歴情報である第１の更新履歴情報と、前記情報取得手段が取得した前記第２の更新履歴情報とから、前記第１のデータと第２のデータのいずれが有効なデータであるかを特定する特定手段と、
前記特定手段の特定結果に応じて前記第１の更新履歴情報を前記印刷デバイスへ送信する処理、又は、前記第１の更新履歴情報と前記第２の更新履歴情報の差分に応じた更新内容情報を差分データとして前記印刷デバイスへ送信する処理のいずれかを行うことで、前記印刷デバイスへ前記印刷対象となる前記第１の文書データの印刷依頼を行う印刷依頼手段と
を具備することを特徴とする情報処理装置。
【請求項１０】
文書データを識別する識別情報、前記文書データの一部又は全部の更新状況を示す更新履歴情報、及び前記更新履歴情報に含まれる更新内容情報を保持する文書データを取り扱い可能な複数の情報処理装置からネットワークを介して印刷依頼を受け付ける印刷デバイスであって、
前記文書データを格納する格納手段と、
前記ネットワークを介して前記情報処理装置から第１の文書データの識別情報を受信する受信手段と、
前記格納手段から前記受信手段が受信した前記第１の文書データの識別情報と同じ識別情報を保持する文書データを第２の文書データとして検索する検索手段と、
前記検索手段が検索した前記第２の文書データが保持する更新履歴情報を第２の更新履歴情報として前記情報処理装置へ送信する送信手段と
を具備することを特徴とする印刷デバイス。
【請求項１１】
文書データを識別する識別情報、前記文書データの一部又は全部の更新状況を示す更新履歴情報、及び前記更新履歴情報に含まれる更新内容情報を保持する文書データを取り扱い可能な複数の情報処理装置と少なくとも一つの印刷デバイスとがネットワークで接続された印刷システムにおける印刷方法であって、
前記情報処理装置が、印刷対象として選択された第１の文書データに対応する第２の文書データに関わる更新履歴情報を第２の更新履歴情報として前記印刷デバイスから取得する情報取得ステップと、
前記情報処理装置が、前記第１の文書データの更新履歴情報である第１の更新履歴情報と、前記情報取得ステップで取得した前記第２の更新履歴情報とから、前記第１のデータと第２のデータのいずれが有効なデータであるかを特定する特定ステップと、
前記情報処理装置が、前記特定ステップの特定結果に応じて前記第１の更新履歴情報を前記印刷デバイスへ送信する処理、又は、前記第１の更新履歴情報と前記第２の更新履歴情報の差分に応じた更新内容情報を差分データとして前記印刷デバイスへ送信する処理のいずれかを行うことで、前記印刷デバイスへ前記印刷対象となる前記第１の文書データの印刷依頼を行う印刷依頼ステップと
を有することを特徴とする印刷方法。
【請求項１２】
少なくとも一つの印刷デバイスとネットワークを介して接続され、文書データを識別する識別情報、前記文書データの一部又は全部の更新状況を示す更新履歴情報、及び前記更新履歴情報に含まれる更新内容情報を保持する文書データを取り扱い可能な情報処理装置における情報処理方法であって、
印刷対象として選択された第１の文書データに対応する第２の文書データに関わる更新履歴情報を第２の更新履歴情報として前記印刷デバイスから取得する情報取得ステップと、
前記第１の文書データの更新履歴情報である第１の更新履歴情報と、前記情報取得ステップで取得した前記第２の更新履歴情報とから、前記第１のデータと第２のデータのいずれが有効なデータであるかを特定する特定ステップと、
前記特定ステップでの特定結果に応じて前記第１の更新履歴情報を前記印刷デバイスへ送信する処理、又は、前記第１の更新履歴情報と前記第２の更新履歴情報の差分に応じた更新内容情報を差分データとして前記印刷デバイスへ送信する処理のいずれかを行うことで、前記印刷デバイスへ前記印刷対象となる前記第１の文書データの印刷依頼を行う印刷依頼ステップと
を有することを特徴とする情報処理方法。
【請求項１３】
文書データを識別する識別情報、前記文書データの一部又は全部の更新状況を示す更新履歴情報、及び前記更新履歴情報に含まれる更新内容情報を保持する文書データを取り扱い可能な複数の情報処理装置からネットワークを介して印刷依頼を受け付ける印刷デバイスにおける情報処理方法であって、
前記文書データを格納手段に格納する格納ステップと、
前記ネットワークを介して前記情報処理装置から第１の文書データの識別情報を受信する受信ステップと、
前記格納手段から前記受信ステップで受信した前記第１の文書データの識別情報と同じ識別情報を保持する文書データを第２の文書データとして検索する検索ステップと、
前記検索ステップで検索した前記第２の文書データが保持する更新履歴情報を第２の更新履歴情報として前記情報処理装置へ送信する送信ステップと
を有することを特徴とする情報処理方法。
【請求項１４】
少なくとも一つの印刷デバイスとネットワークを介して接続され、文書データを識別する識別情報、前記文書データの一部又は全部の更新状況を示す更新履歴情報、及び前記更新履歴情報に含まれる更新内容情報を保持する文書データを取り扱い可能なコンピュータに、
印刷対象として選択された第１の文書データに対応する第２の文書データに関わる更新履歴情報を第２の更新履歴情報として前記印刷デバイスから取得する情報取得ステップと、
前記第１の文書データの更新履歴情報である第１の更新履歴情報と、前記情報取得ステップで取得した前記第２の更新履歴情報とから、前記第１のデータと第２のデータのいずれが有効なデータであるかを特定する特定ステップと、
前記特定ステップでの特定結果に応じて前記第１の更新履歴情報を前記印刷デバイスへ送信する処理、又は、前記第１の更新履歴情報と前記第２の更新履歴情報の差分に応じた更新内容情報を差分データとして前記印刷デバイスへ送信する処理のいずれかを行うことで、前記印刷デバイスへ前記印刷対象となる前記第１の文書データの印刷依頼を行う印刷依頼ステップと
を実行させることを特徴とするプログラム。
【請求項１５】
文書データを識別する識別情報、前記文書データの一部又は全部の更新状況を示す更新履歴情報、及び前記更新履歴情報に含まれる更新内容情報を保持する文書データを取り扱い可能な複数の情報処理装置からネットワークを介して印刷依頼を受け付けるコンピュータに、
前記文書データを格納手段に格納する格納ステップと、
前記ネットワークを介して前記情報処理装置から第１の文書データの識別情報を受信する受信ステップと、
前記格納手段から前記受信ステップで受信した前記第１の文書データの識別情報と同じ識別情報を保持する文書データを第２の文書データとして検索する検索ステップと、
前記検索ステップで検索した前記第２の文書データが保持する更新履歴情報を第２の更新履歴情報として前記情報処理装置へ送信する送信ステップと
を実行させることを特徴とするプログラム。
【手続補正２】
【補正対象書類名】明細書
【補正対象項目名】０００６
【補正方法】変更
【補正の内容】
【０００６】
本発明は、上述した事情を考慮してなされたもので、文書の更新情報を活用することで、複数のホストコンピュータ（印刷クライアント）と印刷デバイス間における印刷時のデータ転送時間を短縮することを目的とする。
【手続補正３】
【補正対象書類名】明細書
【補正対象項目名】００１０
【補正方法】変更
【補正の内容】
【００１０】
また、本発明による印刷デバイスにおいては、文書データを識別する識別情報、前記文書データの一部又は全部の更新状況を示す更新履歴情報、及び前記更新履歴情報に含まれる更新内容情報を保持する文書データを取り扱い可能な複数の情報処理装置からネットワークを介して印刷依頼を受け付ける印刷デバイスであって、前記文書データを格納する格納手段と、前記ネットワークを介して前記情報処理装置から第１の文書データの識別情報を受信する受信手段と、前記格納手段から前記受信手段が受信した前記第１の文書データの識別情報と同じ識別情報を保持する文書データを第２の文書データとして検索する検索手段と、前記検索手段が検索した前記第２の文書データが保持する更新履歴情報を第２の更新履歴情報として前記情報処理装置へ送信する送信手段とを具備することを特徴とする。
【手続補正４】
【補正対象書類名】明細書
【補正対象項目名】００１１
【補正方法】変更
【補正の内容】
【００１１】
また、本発明は、印刷方法、情報処理方法及びプログラムとしてもよい。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
本発明によれば、文書の更新情報を活用することで、複数のホストコンピュータ（印刷クライアント）と印刷デバイス間における印刷時のデータ転送時間を短縮することができる。